(57)【要約】【課題】不使用時に妻板や側板を折り畳んでコンパクトな大きさにすることができ、また折り畳みや組み立てが容易で、長期保管に伴う耐久性や耐震性、輸送に伴う耐振性に優れた折り畳み式コンテナを提供する。【解決手段】折り畳み式コンテナを、各辺の長さがＤである断面形状が正方形で高さが４．５Ｄ〜６Ｄで上面にピン穴が穿設されている短支柱２が上面材の四隅上に立設されているパレット１と、パレット１上の各短手方向で短支柱２，２間に立設される厚さがＤである長方形状をなす一対の妻板３，３と、パレット１上の長手方向の各短支柱２，２間にそれぞれ固定されている高さが２Ｄで厚さがＤである桁材1b上に立設され両側の下部に短支柱２の側面と上面とに当接する逆Ｌ字状の切欠部4d，4dが形成されていて各切欠部4d，4dの各下面に前記ピン穴に挿入係合される固定ピンが突設されている厚さがＤである略長方形状をなす一対の横板４，４とから構成させる。【選択図】図１
2010083574.tif 000002
【特許請求の範囲】
【請求項１】
各辺の長さがＤである断面形状が正方形で高さが４．５Ｄ〜６Ｄで上面(2a)にピン穴(2b)が穿設されている短支柱(２)が上面材(1a)の四隅上に立設されていて平面形状が長方形状を成すパレット(１)と、該パレット(１)上の各短手方向で該短支柱(２，２)間に立設される厚さがＤである長方形状をなす一対の妻板(３，３)と、該パレット(１)上の長手方向の該各短支柱(２，２)間にそれぞれ固定されている高さが２Ｄで厚さがＤである桁材(1b)上に立設され両側の下部に該短支柱(２)の側面と上面(2a)とに当接する逆Ｌ字状の切欠部(4d，4d)が形成されていて該各切欠部(4d，4d)の各下面(4da)に前記短支柱(２)のピン穴(2b)に挿入係合される固定ピン(4e)が突設されている厚さがＤである略長方形状をなす一対の横板(４，４)とから成り、
各妻板(３)及び各横板(４)の両側部(3a，4a)の下端側に可倒用係止ピン(3b，4b)が突設されていると共に、該妻板(３)が該パレット(１)上に立設された状態で該各妻板(３)の可倒用係止ピン(3b)が挿入された位置から少なくとも１．５Ｄ以上垂直に移動できる妻板用長穴(2c)と、該横板(４)が該パレット(１)の桁材(1b)上に立設された状態で該各横板(４)の可倒用係止ピン(4b)が挿入された位置から少なくとも１．５Ｄ以上垂直に移動できる横板用長穴(2d)とが各短支柱(２)の妻板(３)側及び横板(４)側の側面にそれぞれ形成されていて、該妻板(３)と該横板(４)とを立設させた際に互いに当接するそれぞれの側部(3a，4a)に連通する連結穴(3c，4c)が形成されていると共に、これらの連通穴(3c，4c)に挿入される連結フック(５)が該妻板(３)又は該横板(４)にその面内に位置するように装着されており、
該パレット(１)の上面材(1a)の妻板(３)側に形成されたフック挿入口(1c)から挿入され該上面材(1a)の裏面に位置せしめられるフック(3d)が該妻板(３)の下端に突設されていることを特徴とする折り畳み式コンテナ。
【請求項２】
妻板(３)及び横板(４)がそれぞれ格子状の枠体から成る請求項１に記載の折り畳み式コンテナ。
【請求項３】
妻板(３)及び横板(４)が内側面全体に亘って板材又は網状物が装着されている枠体から成る請求項２に記載の折り畳み式コンテナ。
【発明の詳細な説明】
【技術分野】
【０００１】
本発明は、収納物を保管したり輸送したりする際に使用され、不使用時に妻板や側板を折り畳んでコンパクトな大きさにすることができる折り畳み式コンテナに関するものである。
【背景技術】
【０００２】
従来の折り畳むことができない定形型のコンテナでは、空の状態であっても大きな容積を取るため、空のコンテナを輸送する際でも少数のコンテナしか輸送できず、また不使用時に保管する場合も非常に大きなスペースを必要とするという問題がある。そこで、空のコンテナを輸送する際や不使用時に保管する際に妻板や横板を折り畳んでコンパクトな大きさにできる折り畳み式コンテナの開発が盛んに行われている。
【０００３】
しかしながら、このような折り畳み式コンテナでは、折り畳み・組み立てが難しかったり手間がかかるという問題がある。また組み立ての際に係止や嵌合させた部分が外れることがあり従来の定形型のコンテナに比べて安全面で問題がある。更に折り畳み式コンテナでは従来の定形型のコンテナに比べて収納物を長期保管する際の耐久性や耐震性、また収納物を収納させた状態で輸送する際の耐振性などを確保することが難しいという問題もある。更に折り畳み式コンテナではその折り畳み機構や構造の関係上、外側に向けて支柱等が突出していることがあり、複数のコンテナを効率良く並べることが難しい場合もある。
【０００４】
また別の問題として、折り畳み式コンテナでは妻板や横板を折り畳んだ際に支柱が立設したまま残っていると、コンパクトな大きさにすることができない。そのため、四隅に支柱が無いコンテナもあるが、柱がないと立設させた妻板や横板をしっかりと固定することが難しくなる。
【０００５】
このような折り畳み式コンテナにおける支柱の問題に対して、平面視で四角形の台座と、台座の四隅の外側に１本ずつ立設された短い支柱(支持ポスト)と、４枚の柵とからなり、４枚の柵がそれぞれ短い支柱(支持ポスト)に、回転可能な取り付けピンと係止させるための係止ピンとによって取り付けられている収納コンテナや、更にこの短い支柱(支持ポスト)上に起伏自在に取り付けられた折り畳み支柱を有する収納コンテナがある(例えば、特許文献１  請求項１及び２参照。)。これらの収納コンテナでは、台座の外側に固定された支柱（支持ポスト）を短くしたり更にこの短い支柱に折り畳み支柱を設けることで、折り畳んだ際に非常にコンパクトにすることができる。
【０００６】
しかしながらこの収納コンテナは、４枚の柵がその下端側に設けられた取り付けピンと係止ピンとによって短い支柱(支持ポスト)に固定されているだけであるから強度が低く、安全面や耐久性等の面からも十分とは言えない。従ってこの特許文献１の各実施例のように、請求項に記載されていない特殊な金具（実施例１では拘束金具、実施例２ではピンと受金具）によって柵の上端側や中段を固定しなければ十分な強度が得られないのである。
【０００７】
また短い支柱(支持ポスト)に差し込まれる取り付けピンと係止ピンは水平方向に差し込まれているだけであるから、この収納コンテナに水平方向の力が加わると抜け易く、耐震性や耐振性を確保することが難しい。即ち、耐震性や耐振性を確保する上で、水平方向と鉛直方向の両方向からの荷重に対する対策が必要となるがその考慮が十分になされていない。
【０００８】
更にこの収納コンテナでは、各柵を任意の順番で折り畳むことができるが、後から折り畳む柵は先に折り畳んだ柵の上に載せるため、先に折り畳んだ柵の枚数に応じて重い柵を高く持ち上げて載置しなければならないので折り畳み作業が容易でない。
【０００９】
また特許文献１に記載された発明では、短い支柱(支持ポスト)が外側に向けて突出しており、複数のコンテナを効率良く並べることが難しく、この点についても十分な考慮がなされていない。
【００１０】
【特許文献１】特開平９−１２０３０号公報
【発明の開示】
【発明が解決しようとする課題】
【００１１】
本発明は前記の問題に鑑み、不使用時に妻板や側板を折り畳んでコンパクトな大きさにすることができ、また折り畳みや組み立てが容易で、長期保管に伴う耐久性や耐震性、輸送に伴う耐振性に優れた折り畳み式コンテナを提供することを課題とする。
【課題を解決するための手段】
【００１２】
本発明者は前記課題を解決すべく鋭意検討を重ねた結果、折り畳み式コンテナを、各辺の長さがＤである断面形状が正方形で高さが４．５Ｄ〜６Ｄの短支柱が上面材の四隅上に立設されていて平面形状が長方形状を成すパレットと、パレット上の各短手方向で短支柱間に立設される厚さがＤである長方形状をなす一対の妻板と、パレット上の長手方向の各短支柱間にそれぞれ固定されている高さが２Ｄで厚さがＤである桁材上に立設され両側の下部に短支柱の側面と上面とに当接する逆Ｌ字状の切欠部が形成されていて厚さがＤである略長方形状をなす一対の横板とから構成させれば、短支柱を使用することで妻板や横板を折り畳んだ際に非常にコンパクトな大きさにすることができ、またこの短支柱の高さを４．５Ｄ〜６Ｄとすることで厚さがＤの妻板及び横板を折り畳んで重ねた際に短支柱が僅かに突出した状態となるので、折り畳まれたコンテナを保管や輸送する際に何段かに重ねても、上のコンテナのパレットが短支柱によって支持されるので、直接妻板や横板に大きな荷重が加わって変形するようなこともなく、また横板に短支柱と同形の逆Ｌ字状の切欠部を設けることで、コンテナを組み立てた際に、短支柱が横板の切欠部に嵌り短支柱が外側に向けって突出することがないので、複数のコンテナを効率良く並べることができ、
また各妻板及び各横板の両側部の下端側に可倒用係止ピンを突設させると共に、妻板がパレット上に立設された状態で各妻板の可倒用係止ピンが挿入された位置から少なくとも１．５Ｄ以上垂直に移動できる妻板用長穴と、横板がパレットの桁材上に立設された状態で各横板の可倒用係止ピンが挿入された位置から少なくとも１．５Ｄ以上垂直に移動できる横板用長穴とを各短支柱の妻板側及び横板側の側面にそれぞれ形成させれば、本発明に係る折り畳み式コンテナでは先に２枚の妻板を折り畳みその後に２枚の横板を順次折り畳む構造となっていて、２枚の妻板の内、先に折り畳んだ妻板の上に後から折り畳む妻板をその可倒用係止ピンを妻板用長穴に沿わせて上方向にスライドさせることによって先の妻板の上に水平となるように折り畳むことができ、また横板は先に折り畳む妻板の厚さの合計と同じ高さ２Ｄの桁材上に設置されているので、横板を折り畳む際に特段に高く持ち上げる必要はなく、横板も妻板と同様にして容易に折り畳むことができ、また高さ２Ｄの桁材が目印となるので妻板と横板の折り畳み順を間違えることもなく、
更に妻板と横板とを立設させた際に互いに当接するそれぞれの側部に連通する連結穴を形成させると共に、これらの連通穴に挿入される連結フックを妻板又は横板にその面内に位置するように装着させれば、妻板及び横板は下端側では可倒用係止ピンによって短支柱に係止され、上端側では妻板と横板とが直接係止されるので、各部材が互いに係止し合うことで各部材をしっかりと固定させることができ、
また短支柱の上面にピン穴を穿設させると共に横板の切欠部の下面に前記ピン穴に挿入係合される固定ピンを突設させ、更にパレットの上面材の妻板側に形成されたフック挿入口から挿入され上面材の裏面に位置せしめられるフックを妻板の下端に突設させれば、前記連結フックに加えて、ピン穴に鉛直方向に差し込まれ水平方向の力に強い固定ピンと、鉛直方向に抜けがたく鉛直方向の力に強いフックとを使用することで、どのような方向の力に対しても強く、長期保管に伴う耐久性や耐震性や輸送に伴う耐振性を十分に確保することができることを究明して本発明を完成したのである。
【００１３】
即ち本発明は、各辺の長さがＤである断面形状が正方形で高さが４．５Ｄ〜６Ｄで上面にピン穴が穿設されている短支柱が上面材の四隅上に立設されていて平面形状が長方形状を成すパレットと、パレット上の各短手方向で短支柱間に立設される厚さがＤである長方形状をなす一対の妻板と、パレット上の長手方向の各短支柱間にそれぞれ固定されている高さが２Ｄで厚さがＤである桁材上に立設され両側の下部に短支柱の側面と上面とに当接する逆Ｌ字状の切欠部が形成されていて各切欠部の各下面に前記短支柱のピン穴に挿入係合される固定ピンが突設されている厚さがＤである略長方形状をなす一対の横板とから成り、各妻板及び各横板の両側部の下端側に可倒用係止ピンが突設されていると共に、妻板がパレット上に立設された状態で各妻板の可倒用係止ピンが挿入された位置から少なくとも１．５Ｄ以上垂直に移動できる妻板用長穴と、横板がパレットの桁材上に立設された状態で各横板の可倒用係止ピンが挿入された位置から少なくとも１．５Ｄ以上垂直に移動できる横板用長穴とが各短支柱の妻板側及び横板側の側面にそれぞれ形成されていて、妻板と横板とを立設させた際に互いに当接するそれぞれの側部に連通する連結穴が形成されていると共に、これらの連通穴に挿入される連結フックが妻板又は横板にその面内に位置するように装着されており、パレットの上面材の妻板側に形成されたフック挿入口から挿入され上面材の裏面に位置せしめらるフックが妻板の下端に突設されていることを特徴とする折り畳み式コンテナである。
【００１４】
また、妻板及び横板をそれぞれ格子状の枠体から構成させれば、高い強度を維持しつつ軽量化を図ることができて好ましく、またこの態様において、妻板及び横板を内側面全体に亘って板材又は網状物が装着されている枠体から構成させれば、収納物が比較的小さなものであっても容易に収納することができて好ましいのである。
【発明の効果】
【００１５】
本発明に係る折り畳み式コンテナは、各辺の長さがＤである断面形状が正方形で高さが４．５Ｄ〜６Ｄで上面にピン穴が穿設されている短支柱が上面材の四隅上に立設されていて平面形状が長方形状を成すパレットと、パレット上の各短手方向で短支柱間に立設される厚さがＤである長方形状をなす一対の妻板と、パレット上の長手方向の各短支柱間にそれぞれ固定されている高さが２Ｄで厚さがＤである桁材上に立設され両側の下部に短支柱の側面と上面とに当接する逆Ｌ字状の切欠部が形成されていて各切欠部の各下面に前記短支柱のピン穴に挿入係合される固定ピンが突設されている厚さがＤである略長方形状をなす一対の横板とから成り、各妻板及び各横板の両側部の下端側に可倒用係止ピンが突設されていると共に、妻板がパレット上に立設された状態で各妻板の可倒用係止ピンが挿入された位置から少なくとも１．５Ｄ以上垂直に移動できる妻板用長穴と、横板がパレットの桁材上に立設された状態で各横板の可倒用係止ピンが挿入された位置から少なくとも１．５Ｄ以上垂直に移動できる横板用長穴とが各短支柱の妻板側及び横板側の側面にそれぞれ形成されていて、妻板と横板とを立設させた際に互いに当接するそれぞれの側部に連通する連結穴が形成されていると共に、これらの連通穴に挿入される連結フックが妻板又は横板にその面内に位置するように装着されており、パレットの上面材の妻板側に形成されたフック挿入口から挿入され上面材の裏面に位置せしめらるフックが妻板の下端に突設されているから、短支柱を使用することで妻板や横板を折り畳んだ際に非常にコンパクトな大きさにすることができ、またこの短支柱の高さを４．５Ｄ〜６Ｄとすることで厚さがＤの妻板及び横板を折り畳んで重ねた際に短支柱が僅かに突出した状態となるので、折り畳まれたコンテナを保管や輸送する際に何段かに重ねても、上のコンテナのパレットが短支柱によって支持されるので、直接妻板や横板に大きな荷重が加わって変形するようなこともなく、また横板に短支柱と同形の逆Ｌ字状の切欠部を設けることで、コンテナを組み立てた際に、短支柱が横板の切欠部に嵌り短支柱が外側に向けって突出することがないので、複数のコンテナを効率良く並べることができ、また本発明に係る折り畳み式コンテナでは先に２枚の妻板を折り畳みその後に２枚の横板を順次折り畳む構造となっていて、２枚の妻板の内、先に折り畳んだ妻板の上に後から折り畳む妻板をその可倒用係止ピンを妻板用長穴に沿わせて上方向にスライドさせることによって先の妻板の上に水平となるように折り畳むことができ、また横板は先に折り畳む妻板の厚さの合計と同じ高さ２Ｄの桁材上に設置されているので、横板を折り畳む際に特段に高く持ち上げる必要はなく、横板も妻板と同様にして容易に折り畳むことができ、また高さ２Ｄの桁材が目印となるので妻板と横板の折り畳み順を間違えることもなく、更に妻板及び横板は下端側では可倒用係止ピンによって短支柱に係止され、上端側では妻板と横板とが直接係止されるので、各部材が互いに係止し合うことで各部材をしっかりと固定させることができ、前記連結フックに加えて、ピン穴に鉛直方向に差し込まれ水平方向の力に強い固定ピンと、鉛直方向に抜け難く鉛直方向の力に強いフックとを使用することで、どのような方向の力に対しても強く、長期保管に伴う耐久性や耐震性や輸送に伴う耐振性を十分に確保することができるのである。
【００１６】
また、妻板及び横板がそれぞれ格子状の枠体から構成されている場合には、高い強度を維持しつつ軽量化を図ることができて好ましく、またこの態様において、妻板及び横板が内側面全体に亘って板材又は網状物が装着されている枠体から構成されている場合には、収納物が比較的小さなものであっても容易に収納することができて好ましいのである。
【発明を実施するための最良の形態】
【００１７】
以下、図面を用いて本発明に係る折り畳み式コンテナについて詳細に説明する。
図１は本発明に係る折り畳み式コンテナの１実施例の斜視説明図、図２は図１の本発明に係る折り畳み式コンテナの各妻板を折り畳んだ状態を示す斜視説明図、図３は図２の状態から更に各横板を折り畳んだ状態を示す斜視説明図、図４は図１の本発明に係る折り畳み式コンテナのパレットの平面説明図、図５は図１の本発明に係る折り畳み式コンテナの妻板の正面説明図、図６は図１の本発明に係る折り畳み式コンテナの横板の正面説明図、図７は図１の本発明に係る折り畳み式コンテナの短支柱の斜視説明図である。
【００１８】
図面中、１は後述する短支柱２が上面材1aの四隅上に立設されていて平面形状が長方形状を成すパレットである。このパレット１には図１〜３のようにフォークリフトのフォークが挿入される挿入口が設けられているので使い勝手が良くて好ましい。また図４では上面材1aが平板で構成されているが、収納物の大きさに応じて簀の子状の板材であってもよい。
【００１９】
２は各辺の長さがＤである断面形状が正方形で高さが４．５Ｄ〜６Ｄで上面2aにピン穴2bが穿設されている短支柱である。この短支柱２の高さを４．５Ｄ〜６Ｄとしたのは、後述する厚さがＤの妻板３と横板４とを積み重ねるとその厚さが合計で４Ｄとなるので、短支柱２の高さが４．５Ｄ未満であると、折り畳まれたコンテナを何段かに積み重ねた際に、上に位置するコンテナのパレット１が下に位置するコンテナの横板４に直接当接し横板４及びその下の妻板３に大きな荷重が加わり変形する可能性があるからであり、また短支柱２の高さが６Ｄを超える場合には妻板３や横板４を折り畳んで小さくしても、短支柱２が大きく突出した状態となり、コンテナをコンパクトな大きさにすることが難しいからである。
【００２０】
３はパレット１上の各短手方向で短支柱２，２間に立設される厚さがＤである長方形状をなす妻板であり、４はパレット１上の長手方向の各短支柱２，２間にそれぞれ固定されている高さが２Ｄで厚さがＤである桁材1b上に立設され両側の下部に短支柱２の側面と上面2aとに当接する逆Ｌ字状の切欠部4d，4dが形成されていて各切欠部4d，4dの各下面4daに前記ピン穴2bに挿入係合される固定ピン4eが突設されている厚さがＤである略長方形状をなす横板である。
【００２１】
これらの妻板３及び横板４の両側部3a，4aの下端側には図５及び図６の如くそれぞれ可倒用係止ピン3b，4bが突設されていると共に、妻板３がパレット１上に立設された状態で各妻板３の可倒用係止ピン3bが挿入された位置から少なくとも１．５Ｄ以上垂直に移動できる妻板用長穴2cと、横板４がパレット１の桁材1b上に立設された状態で各横板４の可倒用係止ピン4bが挿入された位置から少なくとも１．５Ｄ以上垂直に移動できる横板用長穴2dとが、図７の如く各短支柱２の妻板３側及び横板４側の側面にそれぞれ形成されている。本発明に係る折り畳み式コンテナでは先に各妻板３，３をそれぞれ折り畳み、その後に各横板４，４をそれぞれ折り畳む。その際に２枚の妻板３，３の内、先に折り畳む妻板３はそのまま倒すと下端がパレット１の上面材1aに引っかかるので多少持ち上げた状態で可倒用係止ピン3bを中心として折り畳むのである。次に折り畳む他方の妻板３は先に折り畳まれた妻板３よりその厚さＤより高く持ち上げる必要があるから、妻板３の可倒用係止ピン3bが挿入される妻板用長穴2cは余裕を持たせて可倒用係止ピン3bが挿入された位置から少なくとも１．５Ｄ以上垂直に移動できるような形状となっているのである。一方、一対の妻板３，３が折り畳まれた後に折り畳まれる一対の横板４，４は、既に一対の妻板３，３が折り畳まれているので、その厚さ２Ｄだけ余計に持ち上げて折り畳む必要があるが、各横板４，４は２枚の妻板３，３の厚さに相当する高さを有する桁材1b上に立設されるので、２枚の妻板３，３の厚さに相当する高さを持ち上げる必要がなく、横板４の可倒用係止ピン4bが挿入される横板用長穴2dは妻板用長穴2cと略同形状とすることができるのである。
【００２２】
更に妻板３と横板４とには、妻板３と横板４とを立設させた際に互いに当接するそれぞれの側部3a，4aに連通する連結穴3c，4cが形成されており、これらの連通穴3c，4cには後述する連結フック５が挿入される。
【００２３】
また妻板３の下端には、パレット１の上面材1aの妻板３側に形成されたフック挿入口1cから挿入され上面材1aの裏面に位置せしめられるフック3dが突設されていて、本発明に係る折り畳み式コンテナに鉛直方向上向きの力が加わった際に、妻板３は強く係止され外れることがないのである。
【００２４】
また妻板３及び横板４をそれぞれ格子状の枠体から構成させれば、高い強度を維持しつつ軽量化を図ることができて好ましく、またこの態様において、妻板３及び横板４を内側面全体に亘って板材又は網状物が装着されている枠体から構成させれば、収納物が比較的小さなものであっても容易に収納することができて好ましいのである。
【００２５】
５は妻板３と横板４とを立設させた際に互いに当接するそれぞれの側部3a，4aに連通するように形成された連結穴3c，4cに挿入される連結フックであり、この連結フック５は妻板３又は横板４にその面内に位置するように装着されている。
【００２６】
このような本発明に係る折り畳み式コンテナを折り畳むには、先ず図１の如き状態から妻板３又は横板４に装着されている連結フック５を妻板３と横板４の側部3a，4aに連通するように形成された連結穴3c，4cから抜き取ることによって解除する。この時、各横板４，４はそれぞれ短支柱２の上面2aのピン穴2bに固定ピン4eが差し込まれた状態であるので、連結フック５を解除した後でも自立した状態を保っている。また他方の妻板３はこれらの横板４とそれぞれ連結フック５によって連結されているので自立した状態を保っている。このような状態で前記連結フック５を解除した一方の妻板３を少し持ち上げて、パレット１と反対側に一旦倒してパレット１のフック挿入口1eに挿入されているフック3dをパレット１の上面材1a上に位置せしめた後に今度はパレット１側に倒して折り畳むのである。
【００２７】
次に、他方の妻板３に対しても、前記一方の妻板３と同様に連結フック５を解除する。このような状態でこの他方の妻板３を少し持ち上げて、パレット１と反対側に一旦倒してパレット１のフック挿入口1eに挿入されているフック3dをパレット１の上面材1a上に位置せしめた後に、先に折り畳まれた妻板３の厚さＤより高い位置となるように持ち上げてパレット１側に倒して折り畳むのである。
【００２８】
このようにして、一対の妻板３，３を折り畳んだ後に、一対の横板４，４の一方を短支柱２のピン穴2bに差し込まれた固定ピン4eが抜けるまで上方へと持ち上げてパレット１側に倒して折り畳む。そして他方の横板４についても固定ピン4eが抜けるまで上方へと持ち上げると共に、先に折り畳まれた横板４の厚さＤより高い位置となるように持ち上げてパレット１側に倒して折り畳むのである。
【００２９】
本発明に係る折り畳み式コンテナでは２枚の妻板３，３のどちらの妻板３を先に折り畳んでもよく、２枚の横板４，４の内どちらの横板４を先に折り畳んでもよいが、一対の妻板３，３と一対の横板４，４とでは、一対の妻板３，３を先に折り畳まなければならない。しかしながら、後から折り畳む一対の横板４，４は先に折り畳まれた２枚の妻板３，３の厚さと同じ高さの桁材1b上に立設されているので、この桁材1bが目印となって一対の横板４，４を後から折り畳むことが容易に判断でき、折り畳む際に迷うことがない。
【００３０】
また本発明に係る折り畳み式コンテナを組み立てる場合も、折り畳まれている一対の妻板３，３や一対の横板４，４を上方に位置するものから前記折り畳み操作と逆の操作で順に立設させていけばよいので、組み立て方も迷うことがないのである。
【図面の簡単な説明】
【００３１】
【図１】本発明に係る折り畳み式コンテナの１実施例の斜視説明図である。
【図２】図１の本発明に係る折り畳み式コンテナの各妻板を折り畳んだ状態を示す斜視説明図である。
【図３】図２の状態から更に各横板を折り畳んだ状態を示す斜視説明図である。
【図４】図１の本発明に係る折り畳み式コンテナのパレットの平面説明図である。
【図５】図１の本発明に係る折り畳み式コンテナの妻板の正面説明図である。
【図６】図１の本発明に係る折り畳み式コンテナの横板の正面説明図である。
【図７】図１の本発明に係る折り畳み式コンテナの短支柱の斜視説明図である。
【符号の説明】
【００３２】
１  パレット
1a  上面材
1b  桁材
1c  フック挿入口
２  短支柱
2a  上面
2b  ピン穴
2c  妻板用長穴
2d  横板用長穴
３  妻板
3a  側部
3b  可倒用係止ピン
3c  連結穴
3d  フック
４  横板
4a  側部
4b  可倒用係止ピン
4c  連結穴
4d  切欠部
4da  下面
4e  固定ピン
５  連結フック
【図１】
2010083574.tif 000003
【図２】
2010083574.tif 000004
【図３】
2010083574.tif 000005
【図４】
2010083574.tif 000006
【図５】
2010083574.tif 000007
【図６】
2010083574.tif 000008
【図７】
2010083574.tif 000009